(57)【要約】【課題】粒状の内容物を所定量ずつ繰り返して排出できるようにする。【解決手段】箱本体１とスライド体２とから成り、箱本体１からのスライド体２の引き出しに伴い、所定量の内容物を排出する定量排出箱において、前記箱本体１に、スライド体２の上方に位置する中底板１０を設け、中底板１０に底落穴１０ａを、スライド体２に保持穴２ａをそれぞれ形成し、スライド体２の位置に関わらず、底落穴１０ａと保持穴２ａの連通部分以外では、底落穴１０ａがスライド体２で閉塞され、スライド体２を箱本体１に差し込むと、底落穴１０ａと保持穴２ａとが一致して、内容物が底落穴１０ａを介して保持穴２ａの内側へ落下し、スライド体２を箱本体１から引き出すと、底落穴１０ａから保持穴２ａがずれて、内容物の保持穴２ａへの落下が阻止されると共に、保持穴２ａの内側の内容物が箱本体１の外部へ排出されるようにする。【選択図】図４
2010173732.tif 000002
【特許請求の範囲】
【請求項１】
箱本体(1)とスライド体(2)とから成り、箱本体(1)からのスライド体(2)の引き出しに伴い、所定量の内容物を排出する定量排出箱において、前記箱本体(1)に、スライド体(2)の上方に位置する中底板(10)を設け、中底板(10)に底落穴(10a)を、スライド体(2)に保持穴(2a)をそれぞれ形成し、スライド体(2)の位置に関わらず、底落穴(10a)と保持穴(2a)の連通部分以外では、底落穴(10a)がスライド体(2)で閉塞され、スライド体(2)を箱本体(1)に差し込むと、底落穴(10a)と保持穴(2a)とが一致して、内容物が底落穴(10a)を介して保持穴(2a)の内側へ落下し、スライド体(2)を箱本体(1)から引き出すと、底落穴(10a)から保持穴(2a)がずれて、内容物の保持穴(2a)への落下が阻止されると共に、保持穴(2a)の内側の内容物が箱本体(1)の外部へ排出されるようにしたことを特徴とする定量排出箱。
【発明の詳細な説明】
【技術分野】
【０００１】
この発明は、粒状の内容物を所定量ずつ排出する定量排出箱に関するものである。
【背景技術】
【０００２】
従来、下記特許文献１には、ＣＤ、ＤＶＤ等のディスクを所定枚数ずつ取り出せるようにした紙箱として、図６（ａ），（ｂ）に示すように、多数枚のディスクを積み重ねて収納する箱本体５１と、その下部に形成した開口部５１ａから出し入れされる板状のスライド体５２とから成るものが記載されている。
【０００３】
この箱では、箱本体５１の内部において、多数枚のディスクがスライド体５２に直接載せて積み重ねられ、箱本体５１からスライド体５２を引き出すと、開口部５１ａの高さで規制されて、所定枚数のディスクが箱本体５１の外部に排出される。
【先行技術文献】
【特許文献】
【０００４】
【特許文献１】特開２００３−１８２７２４号公報
【発明の概要】
【発明が解決しようとする課題】
【０００５】
しかしながら、上記のような箱では、内容物が錠剤等の粒状物である場合、スライド体を引き出したとき、内容物がスライド体の奥側に崩れ落ち、スライド体を箱本体に戻すことができなくなり、内容物を繰り返して排出できなくなるという問題があった。
【０００６】
そこで、この発明は、粒状の内容物を所定量ずつ繰り返して排出できるようにすることを課題とする。
【課題を解決するための手段】
【０００７】
上記のような課題を解決するため、この発明は、箱本体とスライド体とから成り、箱本体からのスライド体の引き出しに伴い、所定量の内容物を排出する定量排出箱において、前記箱本体に、スライド体の上方に位置する中底板を設け、中底板に底落穴を、スライド体に保持穴をそれぞれ形成し、スライド体の位置に関わらず、底落穴と保持穴の連通部分以外では、底落穴がスライド体で閉塞され、スライド体を箱本体に差し込むと、底落穴と保持穴とが一致して、内容物が底落穴を介して保持穴の内側へ落下し、スライド体を箱本体から引き出すと、底落穴から保持穴がずれて、内容物の保持穴への落下が阻止されると共に、保持穴の内側の内容物が箱本体の外部へ排出されるようにしたのである。
【発明の効果】
【０００８】
この定量排出箱では、箱本体に収納された内容物を中底板で支持しつつ、中底板の底落穴とスライド体の保持穴との一致及びずれに伴い、所定量の内容物を保持穴に供給・阻止し、内容物が保持穴以外には落下しないようにしたので、スライド体を箱本体に対し出し入れすることにより、粒状の内容物を所定量ずつ繰り返して排出することができる。
【図面の簡単な説明】
【０００９】
【図１】この発明の実施形態に係る定量排出箱のブランクを示す図
【図２】同上の組立過程を下方から示す斜視図
【図３】同上のスライド体を差し込んだ状態の斜視図
【図４】同上のスライド体を引き出した状態の斜視図
【図５】同上の（ａ）図３の状態の縦断側面図、（ｂ）図４の状態の縦断側面図
【図６】従来の定量排出箱の（ａ）スライド体を差し込んだ状態の斜視図、（ｂ）スライド体を引き出した状態の斜視図
【発明を実施するための形態】
【００１０】
以下、この発明の実施形態を添付図面に基づいて説明する。
【００１１】
この定量排出箱は、ゴミ箱の消臭剤である錠剤の包装に使用されるものであり、図１にブランク状態で示すように、箱本体１とスライド体２とから構成される。
【００１２】
板紙から成る箱本体１のブランクでは、前面板３の両側に側面板４が連設され、一方の側面板４に後面板５及び継代片６が順次連設されている。後面板５の上下方向の寸法は、前面板３の上下方向の寸法よりも短く、後面板５の下端は、前面板３の下端よりも上方に位置している。
【００１３】
前面板３の下端には、外底板７及び折曲片８が順次連設され、折曲片８の先端部には差込片８ａが設けられている。側面板４の下端には底受片９が連設されている。後面板５の下端には中底板１０及び折曲片１１が順次連設され、中底板１０には、長円形の底落穴１０ａが設けられている。
【００１４】
前面板３の下部には、長方形状の開口部３ａが設けられ、その上方に両端側が高くなるように湾曲したスリット状の差込穴３ｂが設けられている。後面板５の下部には、スリット状の差込穴５ａが設けられている。
【００１５】
前面板３の上端には、蓋板１２及び折曲片１３が順次連設され、折曲片１３の基端部には、スリット状の差込穴１３ａが設けられている。側面板４の上端には蓋受片１４が連設され、後面板５の上端部には、中間に折目線を有する差込片１５が設けられている。
【００１６】
一方、段ボールから成るスライド体２のブランクでは、下面板２１の一側に中面板２２が、他側に上面板２３がそれぞれ連設され、これらは箱本体１からの抜止機能を有する形状とされている。下面板２１と中面板２２及び上面板２３との間には、段ボールの厚さに応じた高低差を有する縁板２４，２５が介在し、下面板２１、中面板２２及び上面板２３には、順次大きくなる長円形の保持穴２ａがそれぞれ設けられている。
【００１７】
上記のようなブランクから箱を組み立てる際には、図２に示すように、箱本体１において、前面板３、一対の側面板４及び後面板５を角筒状に折り曲げ、継代片６を反対側の側面板４に貼り付けて周壁を形成し、中底板１０を前面板３へ向けて水平方向に折り曲げ、折曲片１１を上方に折り曲げて差込穴３ｂに差し込み、前面板３に係止する。
【００１８】
また、スライド体２において、下面板２１から縁板２４，２５を起立させ、中面板２２及び上面板２３を下面板２１に順次重ねるように折り曲げる。これにより、下面板２１、中面板２２及び上面板２３の保持穴２ａは、穴径が下方から上方へかけて段階的に広がるように連通する。
【００１９】
次に、箱本体１の開口部３ａに内側からスライド体２の前部を差し込んで、スライド体２を中底板１０の下方に沿わせ、底受片９を内側へ折り曲げ、外底板７を後方へ折り曲げて、スライド体２を外底板７と中底板１０の間に挟み、箱本体１の底面を閉じ、折曲片８を上方へ折り曲げ、差込片８ａを差込穴５ａに差し込んで、後面板５に係止する。
【００２０】
その後、箱本体１に錠剤を天面から収納し、蓋受片１４を内側へ折り曲げ、蓋板１２を後面板５へ向けて水平方向に折り曲げて、箱本体１の天面を閉じ、折曲片１３を後面板５の内側に沿わせ、差込片１５を中間部の折目線で屈曲させつつ、差込穴１３ａに差し込んで、箱本体１を封緘する。
【００２１】
このように錠剤を収納すると、図３及び図５（ａ）に示すように、スライド体２を箱本体１に奥まで差し込んだ状態で、底落穴１０ａと保持穴２ａとが一致して、内容物である錠剤が底落穴１０ａを介して保持穴２ａの内側へ自重により落下する。
【００２２】
そして、図４及び図５（ｂ）に示すように、スライド体２を箱本体１から引き出すと、底落穴１０ａから保持穴２ａがずれて、底落穴１０ａと保持穴２ａの連通部分が錠剤の径よりも小さくなり、底落穴１０ａの他の部分がスライド体２の後部上面で閉塞されて、錠剤の保持穴２ａへの落下が阻止された状態となり、保持穴２ａの内側の錠剤は、スライド体２により箱本体１の外部へ引き出されて、下方のゴミ箱へ払い出される。
【００２３】
このとき、箱本体１の内部において、中底板１０の下方には、スライド体２をスライドさせる空間が確保されているので、錠剤を払い出した後、再度スライド体２を箱本体１に奥まで押し戻して、保持穴２ａに所定量の錠剤を装填することができる。
【００２４】
このように、上記定量排出箱では、箱本体１に収納された内容物を中底板１０で支持しつつ、底落穴１０ａと保持穴２ａとの一致及びずれに伴い、所定量の内容物を保持穴２ａに供給・阻止し、内容物が保持穴２ａ以外には落下しないようにしたので、スライド体２を箱本体１に対し出し入れすることにより、粒状の内容物を所定量ずつ繰り返して排出することができる。
【００２５】
また、スライド体２の保持穴２ａが下面板２１から中面板２２、上面板２３へかけて順次大きくなり、保持穴２ａの周縁が皿状に上広がりとなっているので、スライド体２を箱本体１に対し出し入れする際、内容物が保持穴２ａの周縁に引っ掛かりにくくなる。
【００２６】
なお、上記実施形態では、スライド体２の上面から底面へかけて保持穴２ａが貫通し、スライド体２を箱本体１から引き出すと、内容物が直ちに落下するものとしたが、スライド体２の上面側でのみ保持穴２ａを開口させ、底面側を閉塞することにより、内容物をスライド体２に載せた状態で引き出すようにしてもよい。
【００２７】
また、スライド体２は、下面板２１、中面板２２及び上面板２３を重ね合わせたものとしたが、段ボールを重ねることなく一枚でスライド体２を形成するようにしてもよい。
【００２８】
そのほか、中底板１０に底落穴１０ａを１個のみ設けたが、中底板１０に複数個の底落穴１０ａを設け、これに対応してスライド体２に保持穴２ａを設けてもよい。
【００２９】
また、中底板１０に設けた１個の底落穴１０ａに対して、スライド体２に複数個の保持穴２ａを設けるようにしてもよい。
【符号の説明】
【００３０】
１  箱本体
２  スライド体
２ａ  保持穴
３  前面板
３ａ  開口部
３ｂ  差込穴
４  側面板
５  後面板
５ａ  差込穴
６  継代片
７  外底板
８  折曲片
８ａ  差込片
９  底受片
１０  中底板
１０ａ  底落穴
１１  折曲片
１２  蓋板
１３  折曲片
１３ａ  差込穴
１４  蓋受片
１５  差込片
２１  下面板
２２  中面板
２３  上面板
２４，２５  縁板
【図１】
2010173732.tif 000003
【図２】
2010173732.tif 000004
【図３】
2010173732.tif 000005
【図４】
2010173732.tif 000006
【図５】
2010173732.tif 000007
【図６】
2010173732.tif 000008